(57)【要約】  【課題】  最後に行われた原稿の読み取りから所定時間が経過すれば、原稿カバーの開閉に基づく原稿の読み取りが開始されることのない画像読取装置およびそれを備えた複写機を提供する。  【解決手段】  コピーモード処理ではモード切替タイマの計時が行われる（Ｓ５３）。原稿のコピー処理が一度行われてオートモードフラグが「０」でなく、連続読取モードが設定されていれば（Ｓ７５）、原稿のカバー（上蓋部）の閉塞によって（Ｓ７６：ＹＥＳ，Ｓ８０：ＮＯ）、コピー処理が行われる（Ｓ８５、Ｓ８７）。コピー処理の都度モード切替タイマがリセットされ（Ｓ９０）、最後のコピー処理から連続読取時間が経過するまで次のコピー処理が行われなければ（Ｓ６２：ＹＥＳ）、連続読取モードから通常読取モードに移行され（Ｓ６３）、以後カバーの開閉に連動したコピー処理はなされない（Ｓ９３：ＮＯ，Ｓ９５）【選択図】  図９
2005079926.tif 000002
【特許請求の範囲】
【請求項１】
被読取媒体を載置する読取台と、前記読取台上に開閉可能に保持される原稿カバーと、前記原稿カバーの開閉を検出するための開閉検出手段とを備えた画像読取装置であって、
前記開閉検出手段による前記原稿カバーの開放の検出後に前記原稿カバーの閉塞が検出された場合に、前記被読取媒体上に形成された画像の読み取りを行う連続読取モードと、前記原稿カバーの開閉に拘わらず、利用者の指示に基づいて前記被読取媒体上に形成された画像の読み取りを行う通常読取モードとの切り替えを行うための読取モード切替手段と、
前記読取モード切替手段によって前記連続読取モードに切り替えられてからの経過時間を初期値から計時する計時手段と、
前記開閉検出手段によって前記原稿カバーの閉塞が検出された場合に、前記計時手段の計時する経過時間を初期値にリセットする経過時間リセット手段と
を備え、
前記連続読取モードにおいて、前記計時手段によって計時された前記連続読取モードに切り替えられてからの経過時間、または、前記経過時間リセット手段により初期値にリセットされてから前記計時手段により計時された経過時間が第１の所定時間に達した場合、前記読取モード切替手段は、前記連続読取モードから前記通常読取モードへの切り替えを行うことを特徴とする画像読取装置。
【請求項２】
前記被読取媒体の読み取りの際に参照され、前記被読取媒体の読み取りを行うための読取条件を記憶する読取条件記憶手段と、
あらかじめ設定されている前記読取条件の初期条件を記憶する初期条件記憶手段と、
前記初期条件記憶手段に記憶された前記読取条件の初期条件を複製し、前記読取条件記憶手段に記憶させる初期条件設定手段と、
前記初期条件設定手段によって前記読取条件記憶手段に記憶された前記読取条件の初期条件を任意に変更可能とするための読取条件変更手段と
を備え、
前記計時手段によって計時された前記経過時間が前記第１の所定時間より短い第２の所定時間に達した場合、前記初期条件設定手段は、前記読取条件記憶手段に記憶されている前記変更された読取条件を消去して、前記読取条件の初期条件を記憶させることを特徴とする請求項１に記載の画像読取装置。
【請求項３】
前記読取条件とは、少なくとも、解像度、明度、濃淡、色調、倍率、原稿サイズ、または読取部数のいずれかの条件の一つであることを特徴とする請求項２に記載の画像読取装置。
【請求項４】
手動により前記連続読取モードから前記通常読取モードへの切り替えを可能とするための手動読取モード切替手段を備えたことを特徴とする請求項１乃至３のいずれかに記載の画像読取装置。
【請求項５】
請求項１乃至４のいずれかに記載の画像読取装置と、
前記画像読取装置によって読み取られた前記被読取媒体上に形成された画像を、被記録媒体上に形成するための画像形成装置と
を備えたことを特徴とする複写機。
【発明の詳細な説明】
【技術分野】
【０００１】
本発明は、原稿の読み取り時に誤操作を防止することができる画像読取装置およびそれを備えた複写機に関するものである。
【背景技術】
【０００２】
従来、画像読取装置を搭載した複写機等では、原稿上に形成された画像を読み取り、読み取った画像を用紙へ印刷して、画像の複写を行っている。通常、原稿台上に原稿を載せ、原稿カバーを閉じ、読取開始キーを押すことで、原稿の複写が行われる。しかし、複写を行う原稿が多数ある場合に、１枚の原稿の複写を完了させるまでに行うべき操作が多ければ、すべての原稿の複写を完了させるまでにかなりの手間がかかってしまう。
【０００３】
そこで、特許文献１の複写装置では、原稿台（原稿載置台）上に原稿がセットされ、原稿カバーが閉じられると原稿の複写（コピー）が開始され、あらかじめセットした枚数に達するまで、あるいは、コピー釦が押されるまで、その原稿の複写が継続される。すなわち、原稿カバーが閉じられれば、複写の開始を指示する操作（例えば、原稿の読取開始キーを押すなど）がなされなくとも原稿の複写を開始することができ、利用者の操作の１手順を省き、利用者にかかる手間を軽減している。なお、特許文献１の複写装置では、原稿カバーが閉じられ読取開始キーが押されると原稿の複写が開始される第１モードと、原稿カバーが閉じられると原稿の複写が開始される第２モードとの切り替えが、コピーモード選択スイッチによって行われる。
【特許文献１】特開平３−２６４９６４号公報  （図４参照）
【発明の開示】
【発明が解決しようとする課題】
【０００４】
しかしながら、特許文献１では、コピーモード選択スイッチがスライドスイッチであるため、例えば先の利用者が第２モードで原稿の複写を行い、コピーモード選択スイッチをそのままの状態で放置し、次に、後の利用者がコピーモード選択スイッチを確認せずに原稿の複写を行った場合に、後の利用者が原稿カバーを閉じると複写が開始されてしまい、必ずしも後の利用者が望まない複写が行われてしまう場合がある。
【０００５】
本発明は上記課題を解決するためになされたものであり、最後に行われた原稿の読み取りから所定時間が経過すれば、原稿カバーの開閉に基づく原稿の読み取りが開始されることのない画像読取装置およびそれを備えた複写機を提供することを目的とする。
【課題を解決するための手段】
【０００６】
上記目的を達成するために、請求項１に係る発明の画像読取装置は、被読取媒体を載置する読取台と、前記読取台上に開閉可能に保持される原稿カバーと、前記原稿カバーの開閉を検出するための開閉検出手段とを備えた画像読取装置であって、前記開閉検出手段による前記原稿カバーの開放の検出後に前記原稿カバーの閉塞が検出された場合に、前記被読取媒体上に形成された画像の読み取りを行う連続読取モードと、前記原稿カバーの開閉に拘わらず、利用者の指示に基づいて前記被読取媒体上に形成された画像の読み取りを行う通常読取モードとの切り替えを行うための読取モード切替手段と、前記読取モード切替手段によって前記連続読取モードに切り替えられてからの経過時間を初期値から計時する計時手段と、前記開閉検出手段によって前記原稿カバーの閉塞が検出された場合に、前記計時手段の計時する経過時間を初期値にリセットする経過時間リセット手段とを備え、前記連続読取モードにおいて、前記計時手段によって計時された前記連続読取モードに切り替えられてからの経過時間、または、前記経過時間リセット手段により初期値にリセットされてから前記計時手段により計時された経過時間が第１の所定時間に達した場合、前記読取モード切替手段は、前記連続読取モードから前記通常読取モードへの切り替えを行うことを特徴とする。
【０００７】
また、請求項２に係る発明の画像読取装置は、請求項１に記載の発明の構成に加え、前記被読取媒体の読み取りの際に参照され、前記被読取媒体の読み取りを行うための読取条件を記憶する読取条件記憶手段と、あらかじめ設定されている前記読取条件の初期条件を記憶する初期条件記憶手段と、前記初期条件記憶手段に記憶された前記読取条件の初期条件を複製し、前記読取条件記憶手段に記憶させる初期条件設定手段と、前記初期条件設定手段によって前記読取条件記憶手段に記憶された前記読取条件の初期条件を任意に変更可能とするための読取条件変更手段とを備え、前記計時手段によって計時された前記経過時間が前記第１の所定時間より短い第２の所定時間に達した場合、前記初期条件設定手段は、前記読取条件記憶手段に記憶されている前記変更された読取条件を消去して、前記読取条件の初期条件を記憶させることを特徴とする。
【０００８】
また、請求項３に係る発明の画像読取装置は、請求項２に記載の発明の構成に加え、前記読取条件とは、少なくとも、解像度、明度、濃淡、色調、倍率、原稿サイズ、または読取部数のいずれかの条件の一つであることを特徴とする。
【０００９】
また、請求項４に係る発明の画像読取装置は、請求項１乃至３のいずれかに記載の発明の構成に加え、手動により前記連続読取モードから前記通常読取モードへの切り替えを可能とするための手動読取モード切替手段を備えている。
【００１０】
また、請求項５に係る発明の複写機は、請求項１乃至４のいずれかに記載の画像読取装置と、前記画像読取装置によって読み取られた前記被読取媒体上に形成された画像を、被記録媒体上に形成するための画像形成装置とを備えている。
【発明の効果】
【００１１】
請求項１に係る発明の画像読取装置では、連続読取モードでは、読取台に被読取媒体を載置して原稿カバーを閉じる一連の被読取媒体のセットのための操作を行うだけで被読取媒体の読み取りを行うことができるので、装置の操作が容易となり利便性が高い。さらに、読み取りカバーの開閉に基づく経過時間の計時を行って、第１の所定時間の経過とともに連続読取モードを終了することができるので、利用者が、第１所定時間経過後に通常読取モードで読み取りを行う場合に、読取モードの確認をする必要がない。
【００１２】
また、請求項２に係る発明の画像読取装置では、請求項１に係る発明の効果に加え、連続読取モードで被読取媒体の読み取りを行う際に、読取条件の初期条件に対する変更を加えた場合、第１の所定時間より短い第２の所定時間の間はその条件を保持することができるので、利用者は、読み取りの都度、その読取条件を設定する必要がなく、また、読み取り終了後にも読取条件を初期条件に戻す必要がない。
【００１３】
また、請求項３に係る発明の画像読取装置では、請求項２に係る発明の効果に加え、読取条件として複数の条件を有し、それぞれに対して条件の変更が可能であるので、利便性が高い。
【００１４】
また、請求項４に係る発明の画像読取装置では、請求項１乃至３のいずれかに係る発明の効果に加え、連続読取モードにおいて、利用者は、被読取媒体の最終の読み取りの終了後に手動で通常読取モードに切り替えることができるので、第１の所定時間が経過する前に原稿カバーを閉じても読み取りが行われることはなく、装置の誤操作を防止することができる。
【００１５】
また、請求項５に係る発明の複写機では、読取台に被読取媒体を載置して原稿カバーを閉じる一連の被読取媒体のセットのための操作を行うだけで、被読取媒体の複写を行うことができるので、利用者は、被読取媒体のセットの都度、被読取媒体の読み取りの開始を指示するための操作を行う必要がなく、利便性が高い。
【発明を実施するための最良の形態】
【００１６】
以下、本発明を具体化した画像読取装置およびそれを備えた複写機の一実施の形態について、本発明に係る画像読取装置を搭載した複合機１を例に、図面を参照して説明する。まず、図１〜図３を参照して、複合機１の全体の構成について説明する。図１は、複合機１の外観を示す斜視図である。図２は、複合機１の上蓋部１８を開けた様子を示す斜視図である。図３は、操作部５０を示す図である。
【００１７】
図１に示すように、原稿の画像を読み取ってその画像を用紙へ印刷する複写機能を有する複合機１は、左右方向にやや幅広となるように構成された略直方体形状の筐体１０を有している。複合機１は、インクを吐出して、画像データに基づく画像を被記録媒体上に形成するプリンタ部１８１の上部に、画像が形成された被読取媒体を光学的に読み取ってデジタルデータ化するためのスキャナ部１７１が配置された構成となっている。複合機１は、スキャナ部１７１で被読取媒体としての原稿上に形成された画像の読み取りを行い、プリンタ部１８１にて被記録媒体としての用紙にその画像の印刷を行う複写（コピー）機能と、スキャナ部１７１で読み取った画像のデータを公衆通信網を介して他のファクシミリ機へ送信し、他のファクシミリ機から受信した画像のデータをプリンタ部１８１で印刷するファクシミリ機能と、例えばＵＳＢインタフェース１９０（図４参照）などを介してパーソナルコンピュータと接続し、スキャナ部１７１で読み取った画像のデータをパーソナルコンピュータで利用可能となるように送信するスキャナ機能と、パーソナルコンピュータから受信した画像のデータを印刷するプリンタ機能とを併せ持つ。なお、スキャナ部１７１が、本発明における「画像読取装置」に相当し、プリンタ部１８１が、本発明における「画像形成装置」に相当する。そして、複写機能を有した複合機１が、本発明における「複写機」に相当する。
【００１８】
複合機１の筐体１０のプリンタ部１８１には、筐体１０の背面に設けられた給紙口１４から筐体１０の内部へ用紙を供給するための給紙トレイ１１と、筐体１０の前面に設けられた排紙口１３より排出される画像の形成された用紙を積載して保持するための排紙トレイ１２とが設けられている。プリンタ部１８１は公知のインクジェットプリンタであり、インクジェットヘッド（図示外）から、例えばイエロー（Ｙ）、マゼンタ（Ｍ）、シアン（Ｃ）、ブラック（Ｋ）の４色のインクを噴射して、用紙へのカラー印刷を行う。印刷が行われる際に給紙トレイ１１にセットされる用紙は、筐体１０の背面の給紙口１４からプリンタ部１８１の内部へ搬送され、印刷が行われた後、前面の排紙口１３から排出されて排紙トレイ１２上に積層状に保持されるように構成されている。なお、図１では、排紙トレイ１２は筐体１０の底部に収納可能となっており、使用時には前方に引き出されて使用される。
【００１９】
図２に示すように、筐体１０の上面には、筐体１０の背面側に設けられた２つのヒンジ部２５，２６を支軸とし、前面側に設けられた取手部１８ａに手をかけ上に持ち上げるようにして開閉可能な上蓋部１８が設けられている。上蓋部１８を持ち上げたスキャナ部１７の内部には、略水平方向に筐体１０の内部上面を覆うガラス板３０が固定されている。また、ヒンジ部２５の近傍には、上蓋部１８の開閉状態を検出するための開閉スイッチ２７が設けられている。ガラス板３０の板面の下側には、ガラス板３０上に載置した原稿の画像をフォトダイオードで読み取ってデジタルデータ化するためのライン型ＣＣＤイメージセンサ（図示外）が設けられている。スキャナ部１７１は、いわゆるＦＢ（Flat Bed）式のスキャナとなっており、ＣＣＤイメージセンサは、筐体１０の前後方向（主走査方向）をそのフォトダイオードが列設されたライン方向とし、左右方向（副走査方向）にガラス板３０の下面を移動しながらガラス板３０上に載置された原稿のスキャンを行う。ヒンジ部２５，２６は、若干ながら上方向に移動することが可能となっており、ガラス板３０上に厚手の原稿が載置された場合でも、上蓋部１８を閉じることが可能となっている。その場合でも上蓋部１８の開閉状態を検出することができるように、開閉スイッチ２７の検出可能な範囲は大きめに設定されている。なお、ガラス板３０が、本発明における「読取台」に相当する。また、上蓋部１８が、本発明における「原稿カバー」に相当する。さらに、開閉スイッチ２７が、本発明における「開閉検出手段」に相当する。
【００２０】
ガラス板３０の左端は仕切られて、読取窓３１として設けられている。上蓋部１８には、読取窓３１の下面にＣＣＤイメージセンサを移動させて固定し、原稿を、その読取窓３１の上方を通過させて読み取りを行うための自動原稿搬送装置（以下、「ＡＤＦ（Automatic Document Feeder）」という。）１９が設けられている。図１に示すように、ＡＤＦ１９には、原稿を積載し、供給口２０から１枚ずつ引き込まれるようにする供給トレイ２１と、読み取りが終わって排出口２２から排出される原稿を積載保持する排出トレイ２３とが設けられている。原稿は、供給口２０から読取窓３１の上方を通過するように搬送され、読取窓３１の下面に移動されたＣＣＤイメージセンサ上でＵターンして排出口２２へと向かうＵターン状の搬送路を通過する。すなわち、原稿は、筐体１０の左右方向を搬送方向としている。
【００２１】
筐体１０の前面には、筐体１０の左右方向に沿って延設され、前方斜め上方に操作面を向けた操作部５０が設けられている。図３に示すように、この操作部５０の操作面の略中央の位置には、操作時やエラー発生時などに利用者に対してメッセージ等を表示する液晶ディスプレイ（以下、「ＬＣＤ」という。）５１が設けられている。ＬＣＤ５１の右側には、ＬＣＤ５１に表示されるメッセージを切り替えたり選択したりするための選択キー５７、複合機１の電源のオン・オフを行う電源キー５８、コピーやＦＡＸをモノクロ（単色）で行うように、その開始を指示するためのモノクロスタートキー５９、同様にカラー（多色）で行うように開始を指示するためのカラースタートキー６０、処理の中断、中止、あるいは終了などを指示するためのストップキー６１が設けられている。また、ＬＣＤ５１の右側には、数値等を入力するためのテンキー５５、各種設定等のメニューを表示するための設定キー５６が設けられている。そして、ＬＣＤ５１の下側には、複合機１の行う動作モードを指定するためのモードキー、すなわち、複合機１をコピー機として利用する場合のコピーモードに切り替えるコピーモードキー５２、ＦＡＸ機として利用する場合のＦＡＸモードに切り替えるＦＡＸモードキー５３、スキャナ機として利用する場合のスキャナモードに切り替えるスキャナモードキー５４が設けられている。これら各モードキーの内部には発光ダイオード（以下、「ＬＥＤ」という。）７０が設けられており、選択された動作モードのキーが対応するＬＥＤ７０の点灯により照明されるようになっている。
【００２２】
そして、筐体１０の操作部５０の右側方には、スキャナ部１７１で読み取った原稿の画像のデータや、プリンタ部１８１で印刷する画像のデータを、公知のスマートメディア（登録商標）やマルチメディアカード（登録商標）等のメモリカード２２１（図４参照）の読み書きを行うメディアドライブ２２０が設けられている。
【００２３】
次に、図４〜図７を参照し、複合機１の電気的な構成について説明する。図４は、複合機１の制御部１００の構成を示すブロック図である。図５は、ＲＯＭ１２０の記憶エリアを示す概念図である。図６は、ＲＡＭ１３０の記憶エリアを示す概念図である。図７は、フラッシュＲＯＭ１４０の記憶エリアを示す概念図である。
【００２４】
図４に示ように、複合機１の内部には制御部１００が設けられ、複合機１の各部の制御が行われている。制御部１００には、複合機１の全体の制御を司るＣＰＵ１１０が設けられ、このＣＰＵ１１０に、バス１１５を介して、ＣＰＵ１１０が実行する各種のプログラム等を記憶したＲＯＭ１２０と、データを一時的に記憶するＲＡＭ１３０と、データの読み書きが可能で電源が切断された場合にも記憶したデータを保持できるフラッシュＲＯＭ１４０とが接続されている。
【００２５】
また、ＣＰＵ１１０には、スキャナ部１７１のＡＤＦ１９の駆動モータ（図示外）やＣＣＤイメージセンサ（図示外）を駆動するための回路や、ＣＣＤイメージセンサで原稿を読み取ったアナログのデータをデジタル化するＡ／Ｄ変換器（図示外）等を備えたスキャナ駆動部１７０が、バス１１５を介して接続されている。さらに、プリンタ部１８１にて用紙に対してインクを噴射するためのインクジェットヘッド（図示外）を駆動するための回路や、用紙を搬送したりするための搬送モータ（図示外）を駆動するための回路が設けられたプリンタ駆動部１８０が、バス１１５を介してＣＰＵ１１０に接続されている。
【００２６】
ＣＰＵ１１０にはさらに、操作部５０に設けられたＬＣＤ５１への画像の表示の制御を行う画面駆動部１５０と、操作部５０の操作パネル部１５の各キー５２〜６１の入力を検知する入力検知部１６０と、各モードキー５２〜５４にそれぞれ内蔵され、現在設定されている動作モードを点灯して照明するＬＥＤ７０を駆動させるためのＬＥＤ駆動部１５５とが、バス１５５を介して接続されている。入力検知部１６０には、上蓋部１８の開閉状態を検出するための開閉スイッチ２７からの検出信号も入力され、上蓋部１８の開閉状態の検知が行われる。
【００２７】
また、ＮＣＵ２１０を介して接続された通信回線事業者の提供する公衆通信網を通じ、通信先の端末装置との間でＦＡＸデータの送受信を行うため、Ｄ／Ａ変換およびＡ／Ｄ変換を行うモデム２００と、パーソナルコンピュータとＵＳＢケーブルを介して接続するためのＵＳＢインタフェース１９０とが、バス１５５を介してＣＰＵ１１０に接続されている。なお、通信先の端末装置やパーソナルコンピュータとは、例えばＬＡＮなどのネットワークを介して接続可能としてもよい。
【００２８】
なお、複合機１は、メモリカード２２１の読み書きが可能なメディアドライブ２２０を備えており、バス１１５を介してＣＰＵ１１０に接続されている。例えば、動作モードとしてスキャナモードが選択された場合に、複合機１にパーソナルコンピュータが接続されていなくても、スキャナ部１７１で読み取った原稿の画像のデータをメモリカード２２１に書き込んで、メモリカード２２１を介してパーソナルコンピュータに受け渡すことができる。また、例えば、デジタルカメラ等で撮影した画像のデータをメモリカード２２１に保存し、メディアドライブ２２０を介して複合機１で読み込んで、プリンタ部１８１で印刷することも可能である。
【００２９】
次に、図５に示すように、ＲＯＭ１２０には、ＣＰＵ１１０が実行する各種のプログラムを記憶したプログラム記憶エリア１２１と、プログラムの実行開始時に設定される標準の設定値（設計時の実験等によってあらかじめ決められた設定値）等が読取条件の初期条件として記憶された工場出荷時設定記憶エリア１２２とが設けられている。さらに、ＲＯＭ１２０には、図示外の各種記憶エリアが設けられている。なお、工場出荷時設定記憶エリア１２２、および後述するパーマネント設定記憶エリア１４１が、本発明における「初期条件記憶手段」に相当する。
【００３０】
次いで、図６に示すように、ＲＡＭ１３０には、プログラムの実行中の一時的なデータを記憶するワークエリア１３１と、ＣＣＤイメージセンサで原稿を読み取った画像のデータを記憶する読取画像データ記憶エリア１３２と、印刷を行うために、例えばビットマップ形式のデータに展開した印刷データを記憶する印刷画像データ記憶エリア１３３と、制御プログラムで使用される各種のフラグを記憶したフラグ関係記憶エリア１３４と、制御プログラムで使用されるタイマのカウント値を記憶したタイマ関係記憶エリア１３５と、ＦＡＸデータの送信時に入力される通信先の端末装置の宛先番号を記憶するダイヤル記憶エリア１３６と、コピーモード時の設定を記憶し、一時的に変更した設定内容を書き換え可能にして処理時に反映できるようにするための一時設定記憶エリア１３７とが設けられている。さらに、ＲＡＭ１３０には、図示外の各種記憶エリアが設けられている。なお、一時設定記憶エリア１３７が、本発明における「読取条件記憶手段」に相当する。
【００３１】
また、図７に示すように、フラッシュＲＯＭ１４０には、利用者がカスタマイズ（標準の設定値を利用者の好みにあった設定に変更することをいう。）した各種設定値を記憶するパーマネント設定記憶エリア１４１が設けられている。さらに、フラッシュＲＯＭ１４０には、図示外の各種記憶エリアが設けられている。
【００３２】
次に、図８，図９に示す制御プログラムのフローチャートに従って、図１〜図７を参照しながら、複合機１の動作について説明する。図８は、複合機１の制御プログラムのメインルーチンである。図９は、メインルーチンからコールされるコピーモード処理のサブルーチンである。図１０は、その他のキーの入力処理のサブルーチンである。以下、フローチャートの各ステップを「Ｓ」と略記する。
【００３３】
本実施の形態の複合機１では、３つの動作モードに移行することができるようになっている。複合機１の電源投入時にはＦＡＸモードに設定されるようになっており、読み取った原稿の画像のデータの送信を行うことができる。利用者がスキャナモードキー５４を押して複合機１がスキャナモードに移行されれば、スキャナ部１７１で読み取った原稿の画像データをパーソナルコンピュータに送信したり、メモリカード２２１に記憶させたりすることができる。また、利用者がコピーモードキー５２を押して複合機１がコピーモードに移行されれば、スキャナ部１７１で読み取られた原稿の画像をプリンタ部１８１で用紙上に形成することができる。
【００３４】
コピーモードにおいて、複合機１では、利用者が連続してコピー処理を行う場合にカバー（上蓋部１８）の開閉状態を監視して、カバーが閉じられたら、先に行われたコピー処理の設定をそのまま反映させて次のコピー処理を行うことが可能となっている。これを実現するための制御プログラムでは、３つのフラグが使用される。オートモードフラグには、まだコピー処理が行われていないことを示す「０」と、原稿をカラー（多色）で読み取ってカラーで印刷するカラーコピー処理が行われたことを示す「１」と、同様にモノクロ（単色）で行うモノクロコピー処理が行われたことを示す「２」とが記憶される。開閉フラグは、プログラム的にカバーが開いている状態であるか、閉じている状態であるかを示すフラグであり、開いている場合には「１」が記憶され、閉じている場合には「０」が記憶される。例えば、開閉フラグが「１」となっており、開閉スイッチ２７の状態がカバーの閉じている状態となっていれば、そのタイミングにカバーが閉じられたことを判断することができる。また、コピー処理を連続して行う連続読取モードでは、カバーが閉じられた場合にコピー処理が開始され、コピー処理を利用者の指示に基づいて開始する通常読取モードでは、カバーの開閉とコピー処理の開始とが連動されない。この連続読取モードおよび通常読取モードは、連続読取モードフラグがそれぞれ「１」または「０」によってプログラム的に管理されている。そして、オートモードフラグ、開閉フラグ、および連続読取モードフラグは、フラグ関係記憶エリア１３４に記憶される。
【００３５】
また、制御プログラムでは、コピーモードにおいて最後に行われたコピー処理から所定の時間が経過した場合に、ＦＡＸモードに戻る処理が行われる。モード切替タイマＴＭ１は、動作モードをコピーモードからＦＡＸモードへ移行させる時間（モード切替時間）を計時するために使用される。タイマ関係記憶エリア１３５にはモード切替タイマＴＭ１のカウント値を記憶する記憶エリアが設けられており、複合機１の動作クロックに合わせてカウント値が更新されるようになっている。同様に、タイマ関係記憶エリア１３５には設定保持タイマＴＭ２や、連続読取タイマＴＭ３のカウント値を記憶する記憶エリアも設けられている。設定保持タイマＴＭ２は、コピー処理が開始される前に利用者が変更した処理結果に反映させるための設定を、一時的に記憶しておく時間（設定保持時間）を計時するためのタイマである。また、連続読取タイマＴＭ３は、読取モード（連続読取モード、通常読取モード）が連続読取モードとなっている時間（連続読取時間）を計時するために使用される。なお、連続読取タイマＴＭ３によって第１の所定時間としての連続読取時間の計時と、設定保持タイマＴＭ２によって第２の所定時間としての設定保持時間の計時とが行われるように制御するＣＰＵ１１０が、本発明における「計時手段」に相当する。
【００３６】
本実施の形態の複合機１では、電源キー５８の押下が検出されて電源が投入されると、ＲＯＭ１２０のプログラム記憶エリア１２１に記憶された制御プログラムがＲＡＭ１３０のワークエリア１３１に読み込まれ、実行される。図８に示すように、制御プログラムが実行されると、まず、初期化処理が行われる（Ｓ１０）。ワークエリア１３１を除くＲＡＭ１３０の各記憶エリアが初期化され、また、ＣＣＤイメージセンサ（図示外）やインクジェットヘッド（図示外）等の駆動ドライバ等も初期化される。さらに、制御プログラム実行時の初期の設定が読み込まれ、プログラム実行時のパラメータとしてセットされる。この初期の設定は、ＲＯＭ１２０の工場出荷時設定記憶エリア１２２に記憶されている装置の標準の設定（設計時の実験等であらかじめ決められた設定）である。また、利用者が任意に変更可能な設定値（例えば、原稿の読み取り時の原稿の大きさや解像度などの条件）についても、初期値としてあらかじめ決められた値がセットされる。さらに、フラッシュＲＯＭ１４０のパーマネント設定記憶エリア１４１に記憶されている設定があれば、その設定によって標準の設定が上書きされるようになっている。これにより、利用者の好みに応じてカスタマイズされた設定が反映される。
【００３７】
次に、初期状態での動作モードであるＦＡＸモードの設定が行われる（Ｓ１１）。このとき、ＦＡＸモードキー５３に内蔵されたＬＥＤ７０が点灯され、ＦＡＸモードキー５３が照明される。また、ＦＡＸ通信を行うときの各種設定の標準の設定値が工場出荷時設定記憶エリア１２２から読み込まれてワークエリア１３１に記憶され、次いでパーマネント設定記憶エリア１４１に記憶された設定値で上書きされることによってセットされる。そして、ＬＣＤ５１には、現在時刻の時計表示が行われる（Ｓ１２）。なお、時間の計時については、図示外の計時プログラムが実行されることによって行われている。
【００３８】
Ｓ１３〜Ｓ３２の処理では、操作部５０の各キーの入力待ちが行われ、入力されたキーに基づいて様々な処理が行われる。まず、Ｓ１３において、キー入力があるか否かの確認が行われる（Ｓ１３）。入力検知部１６０においてキー５２〜６１のいずれかの入力が検知されなければ（Ｓ１３：ＮＯ）、ＵＳＢインタフェース１９０を介したパーソナルコンピュータからのデータの入力、ＮＣＵ２１０により接続された公衆通信網を介する通信先の端末装置からのデータの入力、メディアドライブ２２０によってメモリカード２２１の読み込みが行われたことによるデータの入力などがないか、確認が行われる（Ｓ１５）。それら外部からのデータの入力があれば（Ｓ１５：ＹＥＳ）、その入力されたデータについて処理が行われ（Ｓ１６）、完了次第、Ｓ１３に戻る。外部入力がなければ（Ｓ１５：ＮＯ）、同様にＳ１３に戻り、キー入力の監視が行われる。
【００３９】
操作部５０のキー５２〜６１のうち、いずれかのキーの入力が検知されれば（Ｓ１３：ＹＥＳ）、そのキーがいずれのキーであるかによって、それぞれ処理が行われる。コピーモードキー５２が押されれば（Ｓ１７：ＹＥＳ）、図９に示す、コピーモード処理のサブルーチンがコールされる（Ｓ１８）。このコピーモード処理については後述する。そして、コピーモード処理のサブルーチンから戻ると、図８に示すように、Ｓ１３に戻り、上記同様、キー入力待ちが継続して行われる。
【００４０】
入力が検知されたキーがスキャナモードキー５４であれば（Ｓ１７：ＮＯ，Ｓ２０：ＹＥＳ）、スキャナモード処理が行われる（Ｓ２１）。このスキャナモードは、複合機１をスキャナ機として利用するための動作モードである。複合機１にパーソナルコンピュータが接続されていれば、パーソナルコンピュータにあらかじめインストールされているスキャナドライバからの制御に基づいて、スキャナ部１７１で読み取った原稿上の画像のデータをパーソナルコンピュータに送信することが可能である。また、メディアドライブ２２０にメモリカード２２１がセットされた状態では、読み取った画像を、例えばＪＰＥＧ形式の画像データとしてメモリカード２２１に書き込むことが可能である。いずれの操作も公知であるので、詳細については省略する。そして、スキャナモード処理が終了すれば、Ｓ１３に戻り、キー入力待ちが継続して行われる。なお、スキャナモード処理が行われる場合には、スキャナモードキー５４の内蔵するＬＥＤ７０が点灯され、動作モードがスキャナモードに移行される。そして、スキャナモード処理が終了すれば、動作モードが初期状態のＦＡＸモードに移行されてＦＡＸモード時の初期設定がなされ、ＦＡＸモードキー５３のＬＥＤ７０が点灯されるようになっている。
【００４１】
入力が検知されたキーがカラースタートキー６０であれば（Ｓ１７：ＮＯ，Ｓ２０：ＮＯ，Ｓ２２：ＹＥＳ）、現在の動作モードがＦＡＸモードであるため、原稿をカラー（多色）で読み込んで送信するための処理が行われる。しかし、先に原稿の送信先が指定される必要があるためダイヤル記憶エリア１３６の記憶内容が参照され、何も記憶されていなければ送信先の宛先番号のダイヤル入力が行われていないとして（Ｓ２３：ＮＯ）、なにも処理が行われずにＳ１３に戻る。一方、宛先番号のダイヤル入力が完了していれば（Ｓ２３：ＹＥＳ）、カラーＦＡＸ送信処理が行われる（Ｓ２５）。
【００４２】
カラーＦＡＸ送信処理は、ガラス板３０に載置された原稿、あるいは、ＡＤＦ１９にセットされた原稿上の画像をＣＣＤイメージセンサ（図示外）でカラーの画像データとして読み取り、図示外のデータ圧縮プログラムの実行によってその画像データの圧縮を行ってから、モデム２００でアナログのＦＡＸデータに変換し、ＮＣＵ２１０によって公衆通信網を通じて接続される通信先の端末装置へ、そのＦＡＸデータを送信する処理である。このカラーＦＡＸ送信処理が終了すれば、動作モードはＦＡＸモードのままであるのでそのままＳ１３へ戻る。なお、このときに、ＬＣＤ５１には時計表示が行われる。
【００４３】
入力が検知されたキーがモノクロスタートキー５９であれば（Ｓ１７：ＮＯ，Ｓ２０：ＮＯ，Ｓ２２：ＮＯ，Ｓ２６：ＹＥＳ）、原稿をモノクロ（単色）で読み込んで送信するための処理が行われる。上記同様に、先に原稿の送信先が指定される必要があるため、送信先の宛先番号のダイヤル入力が完了していなければ（Ｓ２７：ＮＯ）、なにも処理が行われずにＳ１３に戻る。一方、宛先番号のダイヤル入力が完了していれば（Ｓ２７：ＹＥＳ）、モノクロＦＡＸ送信処理が行われる（Ｓ２８）。モノクロＦＡＸ送信処理は、上記カラーＦＡＸ送信処理とほぼ同様の処理であり、原稿がモノクロの画像データとして読み取られ、この画像データから生成されたモノクロのＦＡＸデータが通信先の端末装置に送信される。このモノクロＦＡＸ送信処理が終了すれば、動作モードはＦＡＸモードのままであるのでそのままＳ１３へ戻る。なお、このときに、ＬＣＤ５１には時計表示が行われる。
【００４４】
入力が検知されたキーがテンキー５５であれば（Ｓ１７：ＮＯ，Ｓ２０：ＮＯ，Ｓ２２：ＮＯ，Ｓ２６：ＮＯ，Ｓ３０：ＹＥＳ）、ＦＡＸデータの送信先の端末装置の宛先番号が入力されたものとして、検知したキーに対応する番号がダイヤル記憶エリア１３６に記憶される。入力された宛先番号は、ＬＣＤ５１に表示され（Ｓ３１）、利用者はその宛先番号を確認することができる。その後、Ｓ１３へ戻り、通常数桁の番号から構成される送信先の宛先番号の続きの入力が継続される。
【００４５】
入力が検知されたキーが、上記のキー以外（設定キー５６、ストップキー６１、選択キー５７、電源キー５８）のキーであれば（Ｓ１７：ＮＯ，Ｓ２０：ＮＯ，Ｓ２２：ＮＯ，Ｓ２６：ＮＯ，Ｓ３０：ＮＯ）、それぞれのキーにあらかじめ対応付けられている処理が行われる（Ｓ３２）。例えば、電源キー５８が押されれば、複合機１の電源を切断するための処理が行われ、ストップキー６１が押されれば、処理中の作業を中断あるいは中止する処理（例えば、途中まで入力した宛先番号をクリアする処理など）等が行われる。設定キー５６の操作によって設定のカスタマイズを行うようにした状態で設定の変更が行われた場合には、変更された設定についてはパーマネント設定記憶エリア１４１に記憶される。（後述するが、カスタマイズを行わない状態で変更した設定は、一時的な設定として一時設定記憶エリア１３７に記憶されるようになっており、所定時間の経過や特定の操作によって設定の変更内容は無効となる。）これにより、Ｓ１０にて初期化が行われる際に設定される標準の設定に対し、利用者がカスタマイズした部分の設定のみが上書きされるようになる。また、ＦＡＸモードキー５３が押された場合は、すでに動作モードがＦＡＸモードであるので、なにも処理が行われない。この、その他のキーの処理が行われた後には、Ｓ１３へ戻り、複合機１は、次のキー入力等が行われるのを待機する。
【００４６】
次に、Ｓ１８でコールされるコピーモード処理のサブルーチンについて説明する。図９に示すように、コピーモード処理のサブルーチンがコールされると、まず、複合機１をコピーモードにて動作させるための初期化処理が行われる（Ｓ５０）。例えば、コピーモード時に使用する記憶エリアの初期化などが行われるが、電源投入時に行われる初期化処理（Ｓ１０）と比べ、より限定した内容の初期化が行われる。
【００４７】
そして、動作モードをコピーモードとする設定が行われ（Ｓ５１）、コピーモードキー５２に内蔵されたＬＥＤ７０が点灯される。また、コピー動作を行うための各種設定の標準の設定値が、工場出荷時設定記憶エリア１２２から読み込まれて一時設定記憶エリア１３７に記憶され、次いでパーマネント設定記憶エリア１４１に記憶された設定値によって上書きされることでセットされる。また、各フラグの初期値として、オートモードフラグに「０」が記憶され、まだ連続コピー動作が開始されていない「未コピー」状態として設定される。開閉フラグにも「０」が記憶され、プログラム的には原稿のカバー（上蓋部１８）が閉じた状態として設定される。そして、連続読取モードフラグに「０」が記憶され、通常読取モードとして設定される。なお、Ｓ５１の処理において、一時設定記憶エリア１３７に工場出荷時設定記憶エリア１２２に記憶された設定値、およびパーマネント設定記憶エリア１４１に記憶された設定値を記憶させるように制御するＣＰＵ１１０が、本発明における「初期条件設定手段」に相当する。
【００４８】
次に、ＬＣＤ５１には、一時設定記憶エリア１３７に記憶されている初期状態（デフォルト）の設定値が表示される（Ｓ５２）。例えば、コピー時の拡大倍率が１００％であるとか、コピー枚数が１枚であるなどの初期状態の設定である。さらに、モード切替タイマＴＭ１のカウントが開始される（Ｓ５３）。
【００４９】
そして、キー入力があるか否かの確認が行われる（Ｓ５７）。前記同様、入力検知部１６０においてキー５２〜６１のいずれかの入力が検知されなければ（Ｓ５７：ＮＯ）、設定保持タイマＴＭ２が作動中であるか否かの確認が行われる（Ｓ５８）。設定保持タイマＴＭ２は、一度でもコピー動作が開始されなければ作動されないので（Ｓ５８：ＮＯ）、次に、連続読取タイマＴＭ３が作動中であるか否かの確認が行われる（Ｓ６１）。連続読取タイマＴＭ３についても、一度でもコピー動作が開始されなければ作動されないので（Ｓ６１：ＮＯ）、Ｓ６５へ進む。
【００５０】
Ｓ６５では、モード切替時間が経過したか否かについて確認が行われる（Ｓ６５）。ここでは、Ｓ５３で開始されたモード切替タイマＴＭ１のカウント値が、あらかじめ設定されたモード切替時間に相当するカウント値に達したか否かが確認される。モード切替時間は、例えば３分であり、本実施の形態の複合機１では、最後に行われたコピー処理の後、次のコピー処理が開始されずに３分間が経過すればコピーモードを終了してＦＡＸモードに戻る。
【００５１】
この時点ではモード切替時間は経過しておらず（Ｓ６５：ＮＯ）、Ｓ７６〜Ｓ８０の処理に進み、開閉スイッチ２７の状態の検知に基づく実際のカバー（上蓋部１８）の開閉状態と、開閉フラグの状態に基づくプログラム的なカバーの開閉状態とが一致しているかの確認が行われる。まず開閉スイッチ２７の状態が確認され、カバーが開いていれば（Ｓ７６：ＮＯ）、開閉フラグの状態が確認される（Ｓ７７）。開閉フラグが「１」であってカバーの実際の開閉状態とプログラム的なカバーの開閉状態とが一致すれば（Ｓ７７：ＹＥＳ）、なにもせずにＳ５７へ戻る。しかし、開閉フラグが「０」となっていれば（Ｓ７７：ＮＯ）、開閉フラグに「１」を記憶させて実際のカバーの開閉状態とプログラム的なカバーの開閉状態とを一致させてから（Ｓ７８）、Ｓ５７へ戻る。
【００５２】
一方、開閉スイッチ２７の状態が確認されてカバーが閉じていれば（Ｓ７６：ＹＥＳ）、前記同様に開閉フラグの状態が確認される（Ｓ８０）。開閉フラグが「０」であれば（Ｓ８０：ＹＥＳ）、カバーの実際の開閉状態とプログラム的なカバーの開閉状態とが一致するのでＳ５７へ戻る。不一致の場合は（Ｓ８０：ＮＯ）、開閉フラグに「０」を記憶させて実際のカバーの開閉状態とプログラム的なカバーの開閉状態とを一致させてから（Ｓ８１）、Ｓ８２へ進む。Ｓ８２ではオートモードフラグが「１」であるか否かが確認される（Ｓ８２）。オートモードフラグはコピー処理が開始さないうちは「０」となっており（Ｓ８２：ＮＯ）、Ｓ８３へ進むが、ここでは同様にオートフラグが「２」であるか否かが確認され（Ｓ８３）、この時点ではまだ「０」であるので（Ｓ８３：ＮＯ）、Ｓ５７へ戻る。
【００５３】
操作部５０のキー５２〜６１のうち、いずれかのキーの入力が検知されれば（Ｓ５７：ＹＥＳ）、Ｓ７０へ進む。カラースタートキー６０が押されれば（Ｓ７０：ＹＥＳ）、カラーコピー処理が行われる（Ｓ８７）。すなわち、ガラス板３０に載置された原稿、あるいは、ＡＤＦ１９にセットされた原稿上の画像をＣＣＤイメージセンサ（図示外）でカラーの画像データとして読み取りが行われる。このとき、一時設定記憶エリア１３７に記憶されたコピー動作時の設定が参照される。そして、原稿の画像の読み取りの解像度の設定にあわせた画像の読み取りが行われる。そして、読み取られた画像データは読取画像データ記憶エリア１３２に記憶され、さらに、一時設定記憶エリア１３７に記憶されたコピー動作時の設定にあわせた公知の画像処理が施される。すなわち、画像データに、その明度、濃淡、色調、原稿サイズに合わせた拡大・縮小の倍率の調整が行われる。そして、画像処理が施された画像データはビットマップ形式のデータに変換され、印刷データとして印刷画像データ記憶エリア１３３に記憶される。この印刷データに基づきプリンタ部１８１にて用紙へカラーの印刷が、読取部数として設定された枚数分、行われることによって、カラーコピーの動作が行われる。
【００５４】
カラーコピー処理が終了するとオートモードフラグに「１」が記憶され（Ｓ８８）、モード切替タイマＴＭ１のカウントが再度「０」から開始される（Ｓ９０）。さらに、連続読取タイマＴＭ３、および設定保持タイマＴＭ２のカウントがそれぞれ開始される（Ｓ９１，Ｓ９２）。そして、後述するＳ７５の処理にて設定キーの操作により連続読取モードが設定されて連続読取フラグに「１」が記憶されている場合には（Ｓ９３：ＹＥＳ）、そのままＳ５７へ戻る。しかし、連続読取モードフラグが「０」である場合、すなわち通常読取モードである場合には（Ｓ９３：ＮＯ）、カバー（上蓋部１８）の開閉とコピー処理の開始とを連動して行わせないため、すなわち、カラースタートキー６０またはモノクロスタートキー５９が押された場合にのみコピー処理が開始されるようにするため、オートモードフラグに「０」が記憶されてから（Ｓ９５）、Ｓ５７へ戻る。
【００５５】
設定保持タイマＴＭ２のカウントが開始された後には（Ｓ５８：ＹＥＳ）、設定保持タイマＴＭ２のカウント値があらかじめ設定されている設定保持時間に相当するカウント値に達したか否かの確認が行われるようになる（Ｓ５９）。設定保持時間は、例えば１分であり、本実施の形態の複合機１では、コピー動作の開始前にカスタマイズを行わない状態で変更された設定は、最後に行われたコピー処理の後、次のコピー処理が開始されずに１分間が経過すれば無効とされ、Ｓ５１で設定された状態に戻るようになっている。このため、設定保持時間が経過しないうちは（Ｓ５９：ＮＯ）、Ｓ６１へ進み、設定保持時間が経過した場合には（Ｓ５９：ＹＥＳ）、デフォルトの設定に戻すように処理が行われる（Ｓ６０）。すなわち、Ｓ６０の処理では、Ｓ５１，Ｓ５２の処理と、設定保持タイマＴＭ２，連続読取タイマＴＭ３の動作停止とが行われる。なお、読取モードについては、連続読取モード、または通常読取モードのままの状態が維持される。そして、Ｓ５７へ戻る。
【００５６】
Ｓ５７ではまたキー入力待ちが行われ、操作部５０のキー５２〜６１のうち、モノクロスタートキー５９が押されれば（Ｓ７０：ＮＯ，Ｓ７１：ＹＥＳ）、モノクロコピー処理が行われる（Ｓ７２）。カラーコピー処理と同様に、単色でのコピー動作が行われ、処理が終了すればオートモードフラグに「２」が記憶され（Ｓ７３）、モード切替タイマＴＭ１のカウントは、再度「０」から開始され（Ｓ９０）、設定保持タイマＴＭ２のカウントが開始され（Ｓ９２）、連続読取モードであればそのままＳ５７へ戻り（Ｓ９３：ＹＥＳ）、通常読取モードであれば（Ｓ９３：ＮＯ）、オートモードフラグに「０」が記憶されてからＳ５７へ戻る（Ｓ９５）。なお、Ｓ９０の処理で、モード切替タイマＴＭ１のカウント値をリセットして再度「０」からカウントが開始されるように制御するＣＰＵ１１０が、本発明における「経過時間リセット手段」に相当する。
【００５７】
一方、Ｓ５９において、設定保持時間が経過する前であり、連続読取タイマＴＭ３のカウントが開始された後には（Ｓ５９：ＮＯ，Ｓ６１：ＹＥＳ）、連続読取時間が経過したか否かについて確認が行われる（Ｓ６２）。この連続読取時間は、利用者が後述するＳ７５の処理でカバーの開閉とコピー処理の開始とを連動させる連続読取モードに設定した場合に、通常読取モードに設定を変更するための条件の一つとして設けられており、最後に行われたコピー処理の後、次のコピー処理が開始されずに、例えば２分間が経過すれば、連続読取モードを終了して通常読取モードに移行される。なお、連続読取モードから通常読取モードに設定を変更する他の条件としては、Ｓ７５において利用者が読取モードを通常読取モードとする設定を行った場合が設けられている。連続読取時間が経過する前は（Ｓ６２：ＮＯ）、Ｓ６５へ進み、経過後には（Ｓ６２：ＹＥＳ）、連続読取モードフラグに「０」が記憶されてから（Ｓ６３）、Ｓ６５へ進む。
【００５８】
操作部５０のキー５２〜６１のうち、入力されたキーがカラースタートキー６０やモノクロスタートキー５９でない場合には（Ｓ５７：ＹＥＳ，Ｓ７０，ＮＯ，Ｓ７１：ＮＯ）、それぞれのキーにあらかじめ対応付けられている処理が行われる（Ｓ７５）。この処理では、図１０に示す、その他のキーの入力処理のサブルーチンがコールされる。
【００５９】
図１０に示すように、その他のキーの入力処理のサブルーチンでは、入力されたキーが、設定キー５６（Ｓ１００）、電源キー５８（Ｓ１０３）、ストップキー６１（Ｓ１０６）、ＦＡＸモードキー５３（Ｓ１０８）、スキャナモードキー５４（Ｓ１１１）のいずれかである場合に処理が行われる。テンキー５５、選択キー５７、コピーモードキー５２のいずれかである場合には（Ｓ１０３：ＮＯ，Ｓ１０６：ＮＯ，Ｓ１０８：ＮＯ，Ｓ１１１：ＮＯ）、何も行われずに、コピーモード処理のサブルーチンに戻る。
【００６０】
電源キー５８が押された場合には（Ｓ１００：ＹＥＳ）、複合機１の電源を切断するための終了処理が行われ（Ｓ１０２）、複合機１の電源が切断される。設定キー５６が押された場合には（Ｓ１００：ＮＯ，Ｓ１０３：ＹＥＳ）、その後の操作（テンキー５５や選択キー５７による操作）によって設定処理が行われる（Ｓ１０５）。コピー動作の一時的な設定の変更（例えば、一時的に、読み取り解像度を変更したり、画像処理内容を変更したり、印刷時の部数や原稿サイズを変更したりするなど。）が行われれば、変更内容に基づき一時設定記憶エリア１３７の対応する記憶内容が上書きされる。また、カスタマイズを行うようにした状態で設定の変更が行われれば、その変更された設定は、パーマネント設定記憶エリア１４１に記憶されることとなる。この設定処理が行われたときに動作モードの設定が行われた場合（Ｓ１１５：ＹＥＳ）、連続読取モードの設定が行われていれば（Ｓ１１６：ＹＥＳ）、連続読取モードフラグに「１」が記憶され（Ｓ１１８）、通常読取モードの設定が行われていれば（Ｓ１１６：ＮＯ）、連続読取モードフラグには「０」が記憶される（Ｓ１１７）。そして、コピーモード処理のサブルーチンに戻る。また、動作モードの設定が行われなかった場合にも（Ｓ１１５：ＮＯ）、コピーモード処理のサブルーチンに戻る。なお、Ｓ１０５の処理における設定キー５６等の操作に基づいて、Ｓ１１８の処理で連続読取モードに設定し、または、Ｓ１１７の処理で通常読取モードに設定を行って動作モードの切り替えを行うＣＰＵ１１０が、本発明の請求項１における「読取モード切替手段」に相当し、同処理における操作に基づいて、コピー動作の一時的な設定の変更を行うＣＰＵ１１０が、本発明の請求項２における「読取条件変更手段」に相当し、さらに連続読取モードとなっているときにＳ１０５の処理における操作に基づいて、Ｓ１１７の処理を行って通常読取モードに設定するＣＰＵ１１０が、本発明の請求項４における「手動読取モード切替手段」に相当する。
【００６１】
ストップキー６１が押された場合には（Ｓ１００：ＮＯ，Ｓ１０３：ＮＯ，Ｓ１０６：ＹＥＳ）、Ｓ６０と同様の処理が行われ、一時的に変更された設定がリセットされる。このとき、オートモードフラグが「０」に設定されるため、例えば連続してコピー処理を行った後にストップキー６１を押してからカバーを閉じるようにすれば、ガラス板３０に原稿が載置されていない状態でコピー処理が行われてしまうことを防止することができる。そして、Ｓ５７へ戻り、次のキー入力待ちの状態となる。
【００６２】
ＦＡＸモードキー５３が押された場合や（Ｓ１００：ＮＯ，Ｓ１０３：ＮＯ，Ｓ１０６：ＮＯ，Ｓ１０８：ＹＥＳ）、スキャナモードキー５４が押された場合には（Ｓ１００：ＮＯ，Ｓ１０３：ＮＯ，Ｓ１０６：ＮＯ，Ｓ１０８：ＮＯ，Ｓ１１１：ＹＥＳ）、後述するＳ６６〜Ｓ６８と同様の各モードへの移行のための処理が行われた後（Ｓ１１０またはＳ１１２）、図８に示す、メインルーチンに戻り、それぞれの動作モードへと移行される。
【００６３】
ところで、前述したように、カラースタートキー６０またはモノクロスタートキー５９によりカラーまたはモノクロのコピー処理が開始されると、オートモードフラグには「１」または「２」が記憶される。本実施の形態の複合機１では、このオートモードフラグに基づく制御を行うことで、最後に行われたコピー処理の後、設定保持時間が経過しないうちは、カバー（上蓋部１８）が閉じられると、カラースタートキー６０あるいはモノクロスタートキー５９が押されなくともコピー処理を行うことができる。この制御によって、例えば、複数枚の原稿を連続して複写する場合に、ある原稿のコピー処理を終了してカバーを開き、その原稿を取り出して次の原稿をセットし、カバーを閉めて、カラースタートキー６０またはモノクロスタートキー５９を押し、次の原稿のコピー処理を開始するといった作業において、最後に行うカラースタートキー６０またはモノクロスタートキー５９を押す作業を省略することができる。
【００６４】
このため、図９に示すように、カバーが閉じられたことが検知（開閉スイッチ２７によりカバーが閉じられた状態であると検出されたときに、プログラム的にカバーが開いている状態である場合には、そのタイミングにカバーが閉じられたと判断される。）され（Ｓ７６：ＹＥＳ，Ｓ８０：ＮＯ）、Ｓ８２において、オートモードフラグが「１」であれば（Ｓ８２：ＹＥＳ）、カラースタートキー６０が押されて開始されたカラーコピー処理が、一時的に変更された設定を変えることなく再度行われ（Ｓ８７）、オートモードフラグには「１」が記憶される。また、オートモードフラグが「２」であれば（Ｓ８２：ＮＯ，Ｓ８３：ＹＥＳ）、モノクロスタートキー５９が押されて開始されたモノクロコピー処理が、一時的に変更された設定を変えることなく再度行われ（Ｓ８５）、オートモードフラグには「２」が記憶される（Ｓ８６）。いずれの場合もモード切替タイマＴＭ１のカウントが再度「０」から開始され（Ｓ９０）、また、連続読取タイマＴＭ３、および設定保持タイマＴＭ２のカウントについても「０」から再度開始され（Ｓ９１，Ｓ９２）、連続読取モードであればそのままＳ５７へ戻り（Ｓ９３：ＹＥＳ）、通常読取モードであれば（Ｓ９３：ＮＯ）、オートモードフラグに「０」が記憶されてからＳ５７へ戻る（Ｓ９５）。
【００６５】
このようにして一度でもコピー処理（Ｓ７２、Ｓ８５、Ｓ８７）が一度でも行われればモード切替タイマＴＭ１、設定保持タイマＴＭ２および連続読取タイマＴＭ３のカウントがリセットされる。そして、利用者がコピー処理を終了して複合機１の設定等をそのままの状態で放置した場合でも、本実施の形態ではモード切替タイマＴＭ１による計時時間として設定されている３分が経過すれば（Ｓ６５：ＹＥＳ）、コピーモードを終了しＦＡＸモードへ移行するため、Ｓ６６〜Ｓ６８の処理が行われる。
【００６６】
Ｓ６６ではＦＡＸモード時に使用する記憶エリアの初期化などが行われ（Ｓ６６）。電源投入時に行われる初期化処理（Ｓ１０）と比べ、より限定した内容の初期化が行われる。次いで、Ｓ１１と同様に、動作モードをＦＡＸモードとする設定が行われ（Ｓ６７）、Ｓ１２と同様に、ＬＣＤに現在時刻の時計表示が行われる（Ｓ６８）。これらの処理が済むとコピーモード処理は終了され、制御プログラムのメインルーチンへ戻る。
【００６７】
以上説明したように、本実施の形態の複合機１は、コピーモードにおいて連続した原稿のコピー処理を行う場合に、最初に変更した一時的な設定が保存され、以降のコピー処理時に反映される。そして、ガラス板３０の上に原稿を載置してカバー（上蓋部１８）を閉じるとコピー処理が開始されるので、その都度、カラースタートキー６０またはモノクロスタートキー５９を押してコピー開始の指示を行う必要がない。また、最後に行われたコピー処理の後、次のコピー処理が行われずに設定保持時間（例えば１分）が経過すると、コピー処理のために一時的に変更した設定が初期状態に戻され、また、モード切替時間（例えば３分）が経過すると、コピーモードを終了してＦＡＸモードへ移行されるようになっており、先に複合機１を使用した利用者が一時的に変更した設定を元に戻さずに放置した場合でも、所定の時間が経過していれば、次の利用者が複合機１を利用する場合に、その設定による影響はない。
【００６８】
なお、本発明は各種の変形が可能なことはいうまでもない。例えば、原稿の画像の読み取りを行った場合に、読み取った画像データを構成する全画素の明るさを確認し、実験等で決定した所定のしきい値よりも明るい場合、または暗い場合、原稿には画像が形成されていない、または、ガラス板３０上に原稿が載置されていないとして、以降の画像処理や印刷を中止するようにしてもよい。また、本実施の形態の複合機１はカラーコピー処理が可能な構成としたが、モノクロコピー処理のみが可能な複合機であってもよい。また、プリンタ部１８１は、公知のレーザプリンタにより構成されていてもよい。
【産業上の利用可能性】
【００６９】
本発明に係る画像読取装置およびそれを備えた複写機は、本発明に係る複合機以外にも、スキャナ等の画像読取装置、ファクシミリ等の画像転送装置、コピー機等の複写装置に適用することができる。
【図面の簡単な説明】
【００７０】
【図１】複合機１の外観を示す斜視図である。
【図２】複合機１の上蓋部１８を開けた様子を示す斜視図である。
【図３】操作部５０を示す図である。
【図４】複合機１の制御部１００の構成を示すブロック図である。
【図５】ＲＯＭ１２０の記憶エリアを示す概念図である。
【図６】ＲＡＭ１３０の記憶エリアを示す概念図である。
【図７】フラッシュＲＯＭ１４０の記憶エリアを示す概念図である。
【図８】複合機１の制御プログラムのメインルーチンである。
【図９】メインルーチンからコールされるコピーモード処理のサブルーチンである。
【図１０】その他のキーの入力処理のサブルーチンである。
【符号の説明】
【００７１】
１    複合機
１８    上蓋部
２７    開閉スイッチ
３０    ガラス板
５６    設定キー
１１０    ＣＰＵ
１２２    工場出荷時設定記憶エリア
１３７    一時設定記憶エリア
１４１    パーマネント設定記憶エリア
１７１    スキャナ部
１８１    プリンタ部
【図１】
2005079926.tif 000003
【図２】
2005079926.tif 000004
【図３】
2005079926.tif 000005
【図４】
2005079926.tif 000006
【図５】
2005079926.tif 000007
【図６】
2005079926.tif 000008
【図７】
2005079926.tif 000009
【図８】
2005079926.tif 000010
【図９】
2005079926.tif 000011
【図１０】
2005079926.tif 000012